(57)【特許請求の範囲】
【請求項１】
発電機（１００）のためのステーター（１１６）であって、前記ステーター（１１６）は、
セクションプレート（１２４）と、前記セクションプレート（１２４）に接続されている複数のキーバー（１２６）とを含む、ステーターフレーム（１１０）であって、それぞれのキーバー（１２６）は、ダブテール（１３０）を含む、ステーターフレーム（１１０）と、
前記キーバー（１２６）を半径方向に圧縮するための圧縮バンド（１４０）であって、前記圧縮バンド（１４０）は、前記セクションプレート（１２４）に隣接して、前記複数のキーバー（１２６）の周りに延在している、圧縮バンド（１４０）と、
前記複数のキーバー（１２６）に連結されている複数の積層体（１３２）を含むステーターコア（１２２）と、
１対の前記複数の積層体（１３２）の間に位置決めされ、かつ前記圧縮バンド（１４０）と半径方向に整合している圧縮バンドシムパック（１５０）であって、前記複数の積層体（１３２）を軸線方向に圧縮するように構成されている圧縮バンドシムパック（１５０）と
を含む、発電機（１００）のためのステーター（１１６）。
【請求項２】
前記ステーター（１１６）が、前記１対の前記複数の積層体（１３２）の間にスペースブロック（１３６、１３９）をさらに含み、前記圧縮バンドシムパック（１５０）が、前記スペースブロック（１３６、１３９）の軸線方向寸法よりも大きい軸線方向寸法を有している、請求項１記載のステーター（１１６）。
【請求項３】
前記ステーター（１１６）が、前記セクションプレート（１２４）に隣接して位置決めされているセクションプレートシムパック（１４２）をさらに含む、請求項１記載のステーター（１１６）。
【請求項４】
前記圧縮バンドシムパック（１５０）が、前記セクションプレートシムパック（１４２）よりも大きい長さを有している、請求項３記載のステーター（１１６）。
【請求項５】
前記圧縮バンドシムパック（１５０）が１対の対向する側部を含み、前記１対の対向する側部は、それぞれの対向する側部と隣接するスペースブロック（１３６、１３９）との間に、ベントスペース（１６４）を生成させるように構成されている、請求項１記載のステーター（１１６）。
【請求項６】
それぞれの積層体（１３２）は、前記複数のキーバー（１２６）の１つを係合させるために内部に形成された第１のダブテールスロット（１３４）を含み、前記圧縮バンドシムパック（１５０）は、前記複数のキーバー（１２６）の１つを係合させるために内部に形成された第２のダブテールスロット（１５６）を含み、
前記第２のダブテールスロット（１５６）は、前記第１のダブテールスロット（１３４）の断面積よりも小さい断面積を有している、請求項１記載のステーター（１１６）。
【請求項７】
前記圧縮バンドシムパック（１５０）が、細長い本体部（１５２）を含み、前記細長い本体部（１５２）は、前記第２のダブテールスロット（１５６）を含む第１の端部（１５４）から第２の端部（１５８）へ延在しており、１対の前記複数の積層体（１３２）の間で、隣接するスペースブロック（１３６、１３９）の少なくとも実質的に全長に半径方向に延在している、請求項６記載のステーター（１１６）。
【請求項８】
前記圧縮バンドシムパック（１５０）が、前記圧縮バンド（１４０）の半径方向内側に位
置決めされている、請求項１記載のステーター（１１６）。
【請求項９】
前記圧縮バンドシムパック（１５０）が、複数の積層体（１３２）を含む、請求項１記載のステーター（１１６）。
【請求項１０】
前記圧縮バンド（１４０）が、
前記キーバー（１２６）を半径方向に圧縮するために、前記セクションプレート（１２４）の第１の軸線方向側部（１６０）に隣接して、前記複数のキーバー（１２６）の周りに延在している、第１の圧縮バンド（１４０Ａ）と、
前記キーバー（１２６）を半径方向に圧縮するために、前記セクションプレート（１２４）の対向する第２の軸線方向側部（１６２）に隣接して、前記複数のキーバー（１２６）の周りに延在している、第２の圧縮バンド（１４０Ｂ）と
を含み、
前記圧縮バンドシムパック（１５０）が、
前記第１の圧縮バンド（１４０Ａ）の半径方向内側に位置決めされている第１の圧縮バンドシムパック（１５０Ａ）と、
前記第２の圧縮バンド（１４０Ｂ）の半径方向内側の第２の圧縮バンドシムパック（１５０Ｂ）と
を含む、請求項１記載のステーター（１１６）。
【請求項１１】
それぞれの圧縮バンドシムパック（１５０）が、前記セクションプレート（１２４）に最も近い前記それぞれの第１および第２の圧縮バンド（１４０Ａ、１４０Ｂ）の軸線方向端部に半径方向に整合させられている、請求項１０記載のステーター（１１６）。
【発明の詳細な説明】
【技術分野】
【０００１】
本開示は、概して、発電機ステーターコアに関し、より具体的には、ステーターコアのための圧縮バンドシムパック、ならびに、関連のステーターおよび発電機に関する。
【背景技術】
【０００２】
発電機は、典型的に、ローターおよびステーターの組み合わせを用い、回転エネルギーを電気エネルギーへ変換する。ステーターは、一般的に、環状フレームの中でスタックされた複数の積層体を有するステーターコアを含む。特定の発電機配置では、複数の円周方向に間隔を置いて配置されたキーバーは、環状フレームの長手方向軸線に整合させられており、環状フレームに連結されている。それぞれのキーバーの中のダブテールが、ステーターコアセグメントの周囲部の周りの対応するダブテールスロットと整合し、コアを環状フレームに固定している。ダブテールとスロットとの間の厳しい公差に起因して、フレームは、一般的に、正確に機械加工され、ダブテールを適正に位置付けする。しかし、発電機が生成する動作振動に起因して、剛体的に装着された発電機のステーターコアと環状フレームとの間の強固な接続をその寿命にわたって維持することは難題である。強固な接続を提供するための１つのアプローチは、環状フレームのセクションプレートがキーバーに接続しているステーターコア積層体同士の間にシムパックを用いることである。
【発明の概要】
【０００３】
本開示の第１の態様は、発電機のためのステーターであって、前記ステーターは、セクションプレートと、前記セクションプレートに接続されている複数のキーバーとを含む、ステーターフレームであって、それぞれのキーバーは、ダブテールを含む、ステーターフレームと、前記キーバーを半径方向に圧縮するための圧縮バンドであって、前記圧縮バンドは、前記セクションプレートに隣接して、前記複数のキーバーの周りに延在している、圧縮バンドと、前記複数のキーバーに連結されている複数の積層体を含むステーターコアと、１対の前記複数の積層体の間に位置決めされている圧縮バンドシムパックであって、前記圧縮バンドシムパックは、前記複数の積層体を軸線方向に圧縮するために、軸線方向に前記圧縮バンドに隣接している、圧縮バンドシムパックとを含む、発電機のためのステーターを提供する。
【０００４】
本開示の第２の態様は、複数の積層体を含むステーターコアのためのシムパックであって、前記複数の積層体は、キーバーのダブテールに連結されており、スペースブロックによって分離されており、前記シムパックは、細長い本体部であって、前記細長い本体部は、前記キーバーの前記ダブテールに連結するように構成されているダブテールスロットを含む第１の端部から第２の端部へ延在しており、隣接するスペースブロックの少なくとも実質的に全長に半径方向に延在している、細長い本体部を含む、複数の積層体を含むステーターコアのためのシムパックを提供する。
【０００５】
本開示の第３の態様は、回転軸線を有するローターと、前記ローターの周りに配設されているステーターとを含む、発電機であって、前記ステーターは、セクションプレート、および、前記セクションプレートに接続されている複数のキーバーを含むステーターフレームであって、それぞれのキーバーは、ダブテールを含む、ステーターフレームと、前記キーバーを半径方向に圧縮するための圧縮バンドであって、前記圧縮バンドは、前記セクションプレートに隣接して前記複数のキーバーの周りに延在している、圧縮バンドと、前記複数のキーバーに連結されている複数の積層体を含むステーターコアと、１対の前記複数の積層体の間に位置決めされている圧縮バンドシムパックであって、前記圧縮バンドシムパックは、前記複数の積層体を軸線方向に圧縮するために、前記圧縮バンドに軸線方向に隣接している、圧縮バンドシムパックとを含む、発電機を提供する。
【０００６】
本開示の例示目的の態様は、本明細書で説明されている問題、および／または、議論されていない他の問題を解決するように構成されている。
【０００７】
本開示のこれらの特徴、および、他の特徴は、本開示の様々な実施形態を示す添付の図面を伴って、本開示の様々な態様の以下の詳細な説明から、より容易に理解されることとなる。
【図面の簡単な説明】
【０００８】
【図１】本開示の実施形態によるステーターを含む発電機の簡略化された側断面図である。
【図２】本開示の実施形態による図１の発電機のステーターフレームの切り欠き斜視図である。
【図３】本開示の実施形態による圧縮バンドシムパックを含むステーターの一部分の拡大斜視図である。
【図４】本開示の実施形態によるシムパックを含むステーターの一部分の概略図である。
【図５】本開示の実施形態によるスペースブロックおよびシムパックを含むステーターコア積層体の一部分の側面図である。
【図６】本開示の実施形態によるシムパックおよびステーターコア積層体のダブテールスロットの中のキーバーの一部分の断面図である。
【発明を実施するための形態】
【０００９】
本開示の図面は、正確な縮尺ではないということが留意される。図面は、本開示の典型的な態様を示すことだけを意図しており、したがって、本開示の範囲を限定するものとして考慮されるべきではない。図面では、同様の付番は、図面にわたって同様のエレメントを表している。
【００１０】
上記に示されているように、本開示は、ステーターコアのためのシムパック、ならびに、関連のステーターおよび発電機を提供する。
【００１１】
図面を参照すると、図１は、発電機１００の簡略化された側断面図を示しており、発電機１００は、たとえば、コンバインドサイクル発電システム、または様々な他の発電システムの中の発電機としての役割を果たすことが可能である。図２は、図１の発電機１００の中で使用され得るステーターフレーム１１０の切り欠き斜視図を示している。図１に示されているように、発電機１００は、ステーターフレーム１１０と、回転軸線ＲＡを有するシャフト１１４を含むローター１１２と、ローター１１２の周りに配設されているステーター１１６とを含む。シャフト１１４は、たとえば、ガスタービン、蒸気タービン、風力タービン、水力タービン、内燃エンジン、または、回転出力を提供するように構成されている任意の他の適切なデバイスによって、回転軸線の周りに回転するように駆動され得る。シャフト１１４は、実質的に円筒形状のローター１１２に連結されており、実質的に円筒形状のローター１１２は、磁気コアの周りのワイヤー巻線を含むことが可能である。ローター１１２は、ステーター１１６の中に配設されており、ステーター１１６は、静止磁界を提供するように構成されている。認識されるように、ステーター１１６の中のローター１１２の回転は、ワイヤー巻線の中に電流を発生させ、それによって、発電機１００から電気出力を生み出すことが可能である。
【００１２】
ステーター１１６は、そのステーターコア１２２を含み、ステーター１１６は、ステーターフレーム１１０の中に実質的に剛体的に支持されており、ステーターフレーム１１０は、ステーターフレーム１１０に接続されているセクションプレート１２４および複数のキーバー１２６を含む。図１および図２に示されているように、ステーターフレーム１１０は、フレームの残りのものを取り囲むケーシング１２０を含むことが可能である。図２に最も良く示されているように、セクションプレート１２４は、環状サポート、または、中空のディスク形状のプレートであり、それは、半径方向に延在しており、ステーターフレーム１１０の長さに沿って、軸線方向Ｘに、実質的に等しい間隔を置いて配置されている。図示されているように、ステーターフレーム１１０は、９個のセクションプレート１２４を含む。代替的な構成では、フレーム１１０は、たとえば、３個、５個、７個、１０個、１５個、２０個、またはそれ以上のセクションプレート１２４などのような、より多くのまたはより少ないセクションプレート１２４を含むことが可能である。
【００１３】
図２にも示されているように、キーバー１２６は、セクションプレート１２４に固定して連結されており、回転軸線Ｘに対して軸線方向に延在している。キーバー１２６は、たとえば、溶接、ボルト、または他の公知の連結システムを使用して、固定して連結することが可能である。ほとんどのケースでは、キーバー１２６は、ステーターフレーム１１０の周囲部の周りに等しく間隔を置いて配置されている。図６を参照すると、一般的であるように、それぞれのキーバー１２６は、セクションプレート１２４に連結するための装着部分１２８と、ステーターコア１２２の（図１）複数のステーターコア積層体１３２と連結するためのダブテール１３０（図６）とを含む。
【００１４】
図３に示されているように、ステーター１１６は、ステーターコア１２２を含むことが可能である。ステーターコア１２２は、複数の積層体１３２を含むことが可能であり、複数の積層体１３２は、一緒にスタックされ、コアを形成している。積層体のグループは、コアセグメントと称することが可能である。それぞれの積層体１３２は、円周方向に間隔を置いて配置されたダブテールスロット１３４（図６の仮想線で示されている）を含み、ダブテールスロット１３４は、キーバー１２６に連結するためにスタックされるときに整合させられる。より具体的には、それぞれのダブテールスロット１３４（図６）は、それぞれのキーバー１２６のダブテール１３０（図６）と組み合うように構成させることが可能であり、ダブテールスロット１３４（図６）に対応する場所において、キーバー１２６を積層体１３２に固定する。代替的な実施形態は、５個、１０個、２０個、２５個、３０個、３５個、またはそれ以上のキーバー１２６などのような、より多くのまたはより少ないキーバー１２６を含むことが可能である。当技術分野で理解されているように、および、図５に最も良く示されているように、積層体１３２のグループは、（内側の）スペースブロック１３６によって、軸線方向に間隔を置いて配置させることが可能であり、スペースブロック１３６は、積層体１３２同士の間に、半径方向に延在するベント１３８を生成させている。いくつかのスペースブロック１３６は、積層体１３２の半径方向外側縁部１４６から積層体１３２の中のステーター巻線スロット１４８へ延在しており、他のスペースブロック１３９は、積層体１３２の半径方向外側縁部１４６から積層体１３２の内側半径方向縁部１４７へ延在している。
【００１５】
図１〜図４を参照すると、ステーター１１６は、キーバー１２６を半径方向に圧縮させるための圧縮バンド１４０も含む。また、圧縮バンド１４０は、リングアッセンブリと称することも可能である。図示されているように、圧縮バンド１４０は、セクションプレート１２４に隣接して、キーバー１２６の周りに延在している。たとえば、図２に示されているように、圧縮バンド１４０は、セクションプレート１２４のそれぞれの対の間に位置決めさせることが可能である。動作時に、圧縮バンド１４０は、テンションをかけられ、キーバー１２６を圧縮し、ステーターフレーム１１０の残りのものとの接続を強固にし、振動を低減させる。
【００１６】
図３および図４に示されているように、ステーター１１６は、随意的に、セクションプレートシムパック１４２を含むことも可能であり、セクションプレートシムパック１４２は、セクションプレート１２４に隣接して位置決めされている。２つのセクションプレートシムパック１４２が図示されているが、ゼロ個、１個、または、３個以上を用いることも可能である。セクションプレートシムパック１４２は、たとえば、積層体１３２と同様の材料の複数の積層体（ラベル表示されていない）を含むことが可能であり、積層体１３２は、典型的にスチールであるが、他の材料とすることも可能である。当技術分野で理解されているように、セクションプレートシムパック１４２は、１対のステーターコア積層体１３２の間に設置され、セクションプレート１２４の近傍で積層体１３２を軸線方向に圧縮し、振動を低減させ、セクションプレート１２４との接続を強固にすることが可能である。しかし、シムパック１４２は、セクションプレート１２４が存在する場所の振動だけに対処する。構造的には、図５の仮想線で示されているように、セクションプレートシムパック１４２は、それらのスペースブロック１３６の半径方向距離の約半分に延在しており、スペースブロック１３６は、積層体１３２の半径方向外側縁部１４６から積層体１３２の中のステーター巻線スロット１４８へ延在している。スペースブロック１３６は、ステーター巻線スロット１４８と半径方向に整合させることが可能である。理解されるように、ステーター巻線スロット１４８は、ステーター１１６の一部を形成するワイヤリングを受け入れる。本明細書で述べられているように、他のスペースブロック１３９は、ステーター巻線スロット１４８同士の間の積層体１３２の半径方向外側縁部１４６から積層体１３２の内側半径方向縁部１４７へ延在することが可能である。図５に示されているように、セクションプレートシムパック１４２は、スペースブロック１３９の一部分だけの代わりをする。結果的に、セクションプレートシムパック１４２は、典型的に、形状が実質的に台形である。セクションプレートシムパック１４２は、スペースブロック１３６、１３９の軸線方向寸法よりも大きい軸線方向寸法（図５のページの中へ／外へ）を有することが可能であり、たとえば、端部クランピングシステムなどの公知の方式で、積層体１３２が軸線方向に一緒にクランプされると、軸線方向の圧縮力を積層体１３２に形成させるようになっている。シムパック１４２とキーバー１２６との間の厳しい公差は、ステーターコア１２２とステーターフレーム１１０との間の接続剛性を提供する。
【００１７】
本発明の実施形態によれば、ステーター１１６は、圧縮バンドシムパック１５０を含むことが可能であり、圧縮バンドシムパック１５０は、すなわち、圧縮バンド１４０の近傍で、複数の積層体１３２を軸線方向に圧縮するために、１対の複数の積層体１３２の間に、および、圧縮バンド１４０の半径方向内側に位置決めされている。したがって、圧縮バンドシムパック１５０は、圧縮バンド１４０における振動を低減させ、半径方向にステーター１１６に沿って、追加的な接続剛性および振動低減を提供する。図５に最も良く示されているように、セクションプレートシムパック１４２とは対照的に、圧縮バンドシムパック１５０は、細長い本体部１５２を含み、細長い本体部１５２は、キーバー１２６のダブテール１３０（図６）に連結するように構成されているダブテールスロット１５６（図６を参照）を含む第１の端部１５４から第２の端部１５８へ延在し、隣接するスペースブロック１３６の少なくとも実質的に全長に半径方向に延在し、すなわち、ほとんど、ステーター巻線スロット１４８と同じ半径にある点まで延在している。結果的に、圧縮バンドシムパック１５０は、形状を実質的に三角形とすることが可能である。加えて、図５に観察することができるように、圧縮バンドシムパック１５０は、セクションプレートシムパック１４２よりも大きい長さを有することが可能である。特定の長さが図示されているが、圧縮バンドシムパック１５０は、示されているものよりも短くまたは長くすることが可能であり、また、セクションプレートシムパック１４２よりも長さを短くまたは等しくすることが可能であるということが理解される。いずれにしても、圧縮バンドシムパック１５０は、スペースブロック１３６、１３９の軸線方向寸法よりも大きい軸線方向寸法（図５のページの中へ／外へ）を有しており、公知の方式で積層体１３２が軸線方向に一緒にクランプされると、軸線方向の圧縮力を積層体１３２に形成させるようになっている。圧縮バンドシムパック１５０は、たとえば、典型的にスチールである積層体１３２と同様の材料の複数の積層体から作製することが可能である。パック１５０の中の積層体の数は、スペースブロック１３６の長さに依存し得る。また、図５に示されているように、圧縮バンドシムパック１５０は、１対の対向する側部１６０、１６２を含み、それぞれの対向する側部１６０、１６２と（両側に図示されているような）隣接するスペースブロック１３６との間にベントスペース１６４を生成させるように構成されている。このようにして、圧縮バンドシムパック１５０の使用は、典型的にスペースブロック１３６、１３９によって提供されるベンチレーションを妨害しない。
【００１８】
図４を参照すると、圧縮バンドシムパック１５０は、可能な限りセクションプレート１２４の近くに設置されており、圧縮バンド１４０は、圧縮バンドシムパック１５０の近くに設置されている。一実施形態では、１つまたは複数の圧縮バンドシムパック１５０Ｂは、それぞれの圧縮バンド１４０Ｂの軸線方向端部１７０と半径方向に整合させることが可能である。しかし、これは必要でなく、圧縮バンドシムパック（たとえば、１５０Ａ）は、圧縮バンド（たとえば、１４０Ａ）の半径方向内側のどこかに位置付けさせることが可能である。示されている例では、第１の圧縮バンド１４０Ａは、セクションプレート１２４の第１の軸線方向側部Ａに隣接してキーバー１２６の周りに延在しており、第２の圧縮バンド１４０Ｂは、セクションプレート１２４の対向する第２の軸線方向側部Ｂに隣接してキーバー１２６の周りに延在している。このケースでは、第１の圧縮バンドシムパック１５０Ａは、第１の圧縮バンド１４０Ａの半径方向内側に位置決めさせることが可能であり、第２の圧縮バンドシムパック１５０Ｂは、第２の圧縮バンド１４０Ｂの半径方向内側に位置決めさせることが可能である。圧縮バンドシムパック１５０Ａ、１５０Ｂは、それぞれの圧縮バンド１４０Ａ、１４０Ｂに対して、実質的に同様の相対位置に位置決めさせることが可能であり、セクションプレート１２４の周りでバランスされた軸線方向の圧縮となるようになっている。たとえば、圧縮バンドシムパック１５０Ａ、１５０Ｂは、それぞれの圧縮バンド１４０Ａ、１４０Ｂの軸線方向端部１７０と半径方向に整合させることが可能であり、軸線方向端部１７０は、それぞれ、セクションプレート１２４の最も近くにあり、それは、セクションプレート１２４の周りでバランスされた軸線方向の圧縮を提供することが可能である（パック１５０Ａは、このケースで図示されているものよりも右寄りになることとなる）。しかし、図示されているように、同様の位置決めがすべての場合に必要なわけではない。
【００１９】
図６を参照すると、本明細書で説明されているように、それぞれのステーターコア積層体１３２は、その中にダブテールスロット１３４を含み、ダブテールスロット１３４は、複数のキーバー１２６、すなわち、そのダブテール１３０の１つを係合させるために形成されている。加えて、本明細書で説明されているように、圧縮バンドシムパック１５０は、その中にダブテールスロット１５６を含み、ダブテールスロット１５６は、複数のキーバー（ダブテール１３０）の１つを係合させるために形成されている。加えて、追加的な振動低減および／またはステーター１１６に対する剛性を提供するために、圧縮バンドシムパック１５０のダブテールスロット１５６は、ステーターコア積層体１３２のダブテールスロット１３４の断面積よりも小さい断面積を有している。１つの例では、ダブテール１３０とのダブテールスロット１５６のクリアランスＣcbspは、積層体１３２のダブテールスロット１３４のクリアランスＣlamよりもかなり小さく、たとえば、クリアランスＣlamのおおよそ１５％とすることが可能である。たとえば、クリアランスＣcbspは、約０．００５センチメートル（ｃｍ）とすることが可能であり、クリアランスＣlamは、約０．０３ｃｍとすることが可能である。また、ステーター１１６のサイズに応じて、他のクリアランスとすることが可能である。
【００２０】
動作時に、圧縮バンド１４０が締められると、圧縮バンド１４０は、圧縮バンドシムパック１５０に対して半径方向内向きにキーバー１２６を押し付け、シムパックとキーバーとの間に、より剛体的な接続を確立させる。また、圧縮バンドシムパック１５０が、ステーターコア１２２の内側に圧力をかけて保持され、キーバー１２６がセクションプレート１２４に連結されているので、この配置は、ステーターコア１２２とステーターフレーム１１０、すなわち、セクションプレート１２４などとの間の、より剛体的な、すなわち、振動の少ない接続を結果として生じさせる。圧縮バンドシムパック１５０および圧縮バンド１４０を使用するこのアプローチは、制御された接続剛性を確立し、発電機１００の寿命にわたって剛性を維持することを支援する。
【００２１】
本明細書で使用されている専門用語は、特定の実施形態を説明する目的だけのためのものであり、本開示を限定することは意図していない。本明細書で使用される場合、単数形の「１つの（ａ）」、「１つの（ａｎ）」、および、「前記（ｔｈｅ）」は、文脈で明確に別のことが指示されていない限り、複数形も含むということを意図している。「含む（ｃｏｍｐｒｉｓｅｓ）」および／または「含む（ｃｏｍｐｒｉｓｉｎｇ）」の用語は、この明細書の中で使用されているときには、述べられている特徴、整数、ステップ、動作、エレメント、および／またはコンポーネントの存在を特定するが、１つまたは複数の他の特徴、整数、ステップ、動作、エレメント、コンポーネント、および／または、それらのグループの存在または付加を排除しないということがさらに理解されることとなる。
【００２２】
以下の特許請求の範囲の中のすべてのミーンズプラスファンクションエレメントまたはステッププラスファンクションエレメントの対応する構造、材料、作用、および均等物は、具体的に特許請求されているような他の特許請求されているエレメントと組み合わせた機能を行うための任意の構造、材料、または作用を含むことを意図している。本開示の説明は、例示および説明の目的のために提示されているが、包括的であることは意図しておらず、または、開示されている形態の開示に限定されることを意図していない。多くの修正例および変形例が、本開示の範囲および趣旨から逸脱することなく、当業者に明らかになろう。実施形態は、本開示の原理および実用的な用途を最も良く説明するために選択および説明されており、考えられる特定の使用に適するような様々な修正例によって、当業者が、様々な実施形態に関する本開示を理解することを可能にする。
【００２３】
最後に、代表的な実施態様を以下に示す。
［実施態様１］
発電機（１００）のためのステーター（１１６）であって、前記ステーター（１１６）は、
セクションプレート（１２４）と、前記セクションプレート（１２４）に接続されている複数のキーバー（１２６）とを含む、ステーターフレーム（１１０）であって、それぞれのキーバー（１２６）は、ダブテール（１３０）を含む、ステーターフレーム（１１０）と、
前記キーバー（１２６）を半径方向に圧縮するための圧縮バンド（１４０）であって、前記圧縮バンド（１４０）は、前記セクションプレート（１２４）に隣接して、前記複数のキーバー（１２６）の周りに延在している、圧縮バンド（１４０）と、
前記複数のキーバー（１２６）に連結されている複数の積層体（１３２）を含むステーターコア（１２２）と、
１対の前記複数の積層体（１３２）の間に位置決めされている圧縮バンドシムパック（１５０）であって、前記圧縮バンドシムパック（１５０）は、前記複数の積層体（１３２）を軸線方向に圧縮するために、軸線方向に前記圧縮バンド（１４０）に隣接している、圧縮バンドシムパック（１５０）と
を含む、発電機（１００）のためのステーター（１１６）。
［実施態様２］
前記ステーター（１１６）が、前記１対の前記複数の積層体（１３２）の間にスペースブロック（１３６、１３９）をさらに含み、前記圧縮バンドシムパック（１５０）が、前記スペースブロック（１３６、１３９）の軸線方向寸法よりも大きい軸線方向寸法を有している、実施態様１記載のステーター（１１６）。
［実施態様３］
前記ステーター（１１６）が、前記セクションプレート（１２４）に隣接して位置決めされているセクションプレートシムパック（１４２）をさらに含む、実施態様１記載のステーター（１１６）。
［実施態様４］
前記圧縮バンドシムパック（１５０）が、前記セクションプレートシムパック（１４２）よりも大きい長さを有している、実施態様３記載のステーター（１１６）。
［実施態様５］
前記圧縮バンドシムパック（１５０）が１対の対向する側部を含み、前記１対の対向する側部は、それぞれの対向する側部と隣接するスペースブロック（１３６、１３９）との間に、ベントスペース（１６４）を生成させるように構成されている、実施態様１記載のステーター（１１６）。
［実施態様６］
それぞれの積層体（１３２）は、前記複数のキーバー（１２６）の１つを係合させるために内部に形成された第１のダブテール（１３４）スロットを含み、前記圧縮バンドシムパック（１５０）は、前記複数のキーバー（１２６）の１つを係合させるために内部に形成された第２のダブテールスロット（１５６）を含み、
前記第２のダブテールスロット（１５６）は、前記第１のダブテールスロット（１３４）の断面積よりも小さい断面積を有している、実施態様１記載のステーター（１１６）。
［実施態様７］
前記圧縮バンドシムパック（１５０）が、細長い本体部（１５２）を含み、前記細長い本体部（１５２）は、前記第２のダブテールスロット（１５６）を含む第１の端部（１５４）から第２の端部（１５８）へ延在しており、１対の前記複数の積層体（１３２）の間で、隣接するスペースブロック（１３６、１３９）の少なくとも実質的に全長に半径方向に延在している、実施態様６記載のステーター（１１６）。
［実施態様８］
前記圧縮バンドシムパック（１５０）が、前記圧縮バンド（１４０）の半径方向内側に位置決めされている、実施態様１記載のステーター（１１６）。
［実施態様９］
前記圧縮バンドシムパック（１５０）が、複数の積層体（１３２）を含む、実施態様１記載のステーター（１１６）。
［実施態様１０］
前記圧縮バンド（１４０）が、
前記キーバー（１２６）を半径方向に圧縮するために、前記セクションプレート（１２４）の第１の軸線方向側部（１６０）に隣接して、前記複数のキーバー（１２６）の周りに延在している、第１の圧縮バンド（１４０Ａ）と、
前記キーバー（１２６）を半径方向に圧縮するために、前記セクションプレート（１２４）の対向する第２の軸線方向側部（１６２）に隣接して、前記複数のキーバー（１２６）の周りに延在している、第２の圧縮バンド（１４０Ｂ）と
を含み、
前記圧縮バンドシムパック（１５０）が、
前記第１の圧縮バンド（１４０Ａ）の半径方向内側に位置決めされている第１の圧縮バンドシムパック（１５０Ａ）と、
前記第２の圧縮バンド（１４０Ｂ）の半径方向内側の第２の圧縮バンドシムパック（１５０Ｂ）と
を含む、実施態様１記載のステーター（１１６）。
【符号の説明】
【００２４】
１００  発電機
１１０  ステーターフレーム
１１２  ローター
１１４  シャフト
１１６  ステーター
１２０  ケーシング
１２２  ステーターコア
１２４  セクションプレート
１２６  キーバー
１２８  装着部分
１３０  ダブテール
１３２  積層体
１３４、１５６  ダブテールスロット
１３６、１３９  スペースブロック
１３８  ベント
１４０  圧縮バンド
１４０Ａ  第１の圧縮バンド
１４０Ｂ  第２の圧縮バンド
１４２  プレートシムパック
１４４  シムパック
１４６  径方向外側縁部
１４７  内側半径方向縁部
１４８  ステーター巻線スロット
１５０  バンドシムパック
１５０Ａ  第１のバンドシムパック
１５０Ｂ  第２のバンドシムパック
１５２  細長い本体部
１５４  第１の端部
１５８  第２の端部
１６０、１６２  対向する側部
１６４  ベントスペース
１７０  軸線方向端部
【図１】
0006662593.tif 000002
【図２】
0006662593.tif 000003
【図３】
0006662593.tif 000004
【図４】
0006662593.tif 000005
【図５】
0006662593.tif 000006
【図６】
0006662593.tif 000007